(57)【要約】【課題】ベゼル部を多様な色相のパターンまたはイメージで具現したタッチパネルを提供する。【解決手段】本発明のタッチパネル１００は、ウィンドウ基板１１０と、ウィンドウ基板１１０の一面方向に電極パターン１３１と、電極パターン１３１に連結されたベゼル部領域の電極配線を一面に具備した少なくとも一つの透明基板１３０と、ウィンドウ基板１１０と透明基板１３０との間のベゼル部領域に具備されたカラーベゼル部１２０と、を含むものである。【選択図】図１
2014130564.tif 000002
【特許請求の範囲】
【請求項１】
ウィンドウ基板と、
前記ウィンドウ基板の一面方向に電極パターンと、前記電極パターンに連結されたベゼル部領域の電極配線を一面に具備した少なくとも一つの透明基板と、
前記ウィンドウ基板と前記透明基板との間のベゼル部領域に具備されたカラーベゼル部と、
を含むタッチパネル。
【請求項２】
前記カラーベゼル部は、ウィンドウ基板の一面方向に順に配置される第１ＵＶ吸収層、第１色光層、第２色光層、光フィルター層、第３色光層、第２ＵＶ吸収層、及びオーバーコーティング層を含む積層構造であることを特徴とする請求項１に記載のタッチパネル。
【請求項３】
前記第１ＵＶ吸収層と前記第２ＵＶ吸収層は、ＵＶ遮断用無機物やＵＶ遮断用有機物で形成されることを特徴とする請求項２に記載のタッチパネル。
【請求項４】
前記光フィルター層は、青色光を遮断するためのフィルター層であることを特徴とする請求項２に記載のタッチパネル。
【請求項５】
前記第１色光層、第２色光層、及び第３色光層は、各々、銀塩及びバインダーを含む銀塩乳剤層にマゼンタ（ｍａｇｅｎｔａ）、黄色（ｙｅｌｌｏｗ）、及びシアン（ｃｙａｎ）のうちいずれか一つの色を有する染料（ｄｙｅ）を含有する形態で具備されることを特徴とする請求項２に記載のタッチパネル。
【請求項６】
前記銀塩は、ハロゲン化銀を含む無機銀塩または酢酸銀を含む有機銀塩であることを特徴とする請求項５に記載のタッチパネル。
【請求項７】
前記バインダーは、ゼラチン、ポリビニルアルコール（ＰＶＡ）、ポリビニルピロリドン（ＰＶＰ）、澱粉を含む多糖類、セルロース及びその誘導体、ポリエチレンオキサイド、ポリビニルアミン、キトサン、ポリリシン、ポリアクリル酸、ポリアルギン酸、ポリヒアルロン酸、カルボキシセルロースのうちいずれか一つまたは組合せを含むことを特徴とする請求項５に記載のタッチパネル。
【請求項８】
前記第１色光層、第２色光層、及び第３色光層は、各々、銀塩及びバインダーを含む銀塩乳剤層に赤色染料、緑色染料、及び青色染料のうちいずれか一つの染料を含有する形態で具備されることを特徴とする請求項２に記載のタッチパネル。
【請求項９】
前記ウィンドウ基板は、ウィンドウガラス（ｗｉｎｄｏｗ  ｇｌａｓｓ）を含むことを特徴とする請求項１に記載のタッチパネル。
【請求項１０】
前記ウィンドウ基板は、ウィンドウガラスの外部面にハードコーティング層、防指紋（ａｎｔｉ−ｆｉｎｇｅｒ）層、防眩（ａｎｔｉ−ｇｌａｒｅ）層のうちいずれか一つまたは組合せで形成された積層構造であることを特徴とする請求項９に記載のタッチパネル。
【発明の詳細な説明】
【技術分野】
【０００１】
本発明は、タッチパネルに関する。
【背景技術】
【０００２】
デジタル技術を用いるコンピュータが発達するにつれて、コンピュータの補助装置もともに開発されており、パソコン、携帯用送信装置、その他の個人用の情報処理装置などは、キーボード、マウスなどの様々な入力装置（Ｉｎｐｕｔ  Ｄｅｖｉｃｅ）を利用してテキスト及びグラフィック処理を行う。
【０００３】
しかし、情報化社会の急速な進行により、コンピュータの用途が益々拡大する傾向にあるため、現在、入力装置の役割を担当しているキーボード及びマウスだけでは、効率的な製品の駆動が困難であるという問題点がある。従って、簡単で誤操作が少なく、誰でも簡単に情報を入力することができる機器の必要性が高まっている。
【０００４】
また、入力装置に関する技術は、一般的な機能を満たす水準を越えて、高信頼性、耐久性、革新性、設計及び加工に関する技術などが注目されており、このような目的を達成するために、テキスト、グラフィックなどの情報入力が可能な入力装置として、タッチパネル（Ｔｏｕｃｈ  Ｐａｎｅｌ）が開発された。
【０００５】
このようなタッチパネルは、電子手帳、液晶表示装置（ＬＣＤ；Ｌｉｑｕｉｄ  Ｃｒｙｓｔａｌ  Ｄｉｓｐｌａｙ  Ｄｅｖｉｃｅ）、ＰＤＰ（Ｐｌａｓｍａ  Ｄｉｓｐｌａｙ  Ｐａｎｅｌ）、Ｅｌ（Ｅｌｅｃｔｒｏｌｕｍｉｎｅｓｃｅｎｃｅ）などの平板ディスプレイ装置及びＣＲＴ（Ｃａｔｈｏｄｅ  Ｒａｙ  Ｔｕｂｅ）などの画像表示装置の表示面に設けられ、ユーザが画像表示装置を見ながら所望の情報を選択するようにするために利用される道具である。
【０００６】
一方、タッチパネルの種類は、抵抗膜方式（Ｒｅｓｉｓｔｉｖｅ  Ｔｙｐｅ）、静電容量方式（Ｃａｐａｃｉｔｉｖｅ  Ｔｙｐｅ）、電磁方式（Ｅｌｅｃｔｒｏ−Ｍａｇｎｅｔｉｃ  Ｔｙｐｅ）、表面弾性波方式（ＳＡＷ  Ｔｙｐｅ；Ｓｕｒｆａｃｅ  Ａｃｏｕｓｔｉｃ  Ｗａｖｅ  Ｔｙｐｅ）及び赤外線方式（Ｉｎｆｒａｒｅｄ  Ｔｙｐｅ）に区分される。このような多様な方式のタッチパネルは、信号増幅の問題、解像度の差、設計及び加工技術の難易度、光学的特性、電気的特性、機械的特性、耐環境特性、入力特性、耐久性及び経済性を考慮して電子製品に採用されるが、現在、もっとも幅広い分野で用いられている方式は、抵抗膜方式タッチパネル及び静電容量方式タッチパネルである。
【０００７】
一方、従来技術によるタッチパネルは、特許文献１に開示されているように、電極配線などを隠すためにデコレーションパターンからなるベゼル部が形成される。
【０００８】
しかし、ベゼル部は、黒色または白色の単一色相のみで具現することによって、ベゼル部を多様な色相のパターンまたはイメージで具現するユーザの要求が増大されている。
【先行技術文献】
【特許文献】
【０００９】
【特許文献１】米国特許出願公開第２０１１／０１１５７２３号明細書
【発明の概要】
【発明が解決しようとする課題】
【００１０】
本発明の目的は、前記問題点を解消するために、ベゼル部を多様な色相のパターンまたはイメージで具現したタッチパネルを提供することである。
【課題を解決するための手段】
【００１１】
本発明の一実施例によるタッチパネルは、ウィンドウ基板と、前記ウィンドウ基板の一面方向に電極パターンと、前記電極パターンに連結されたベゼル部領域の電極配線を一面に具備した少なくとも一つの透明基板と、前記ウィンドウ基板と前記透明基板との間のベゼル部領域に具備されたカラーベゼル部と、を含む。
【００１２】
本発明の一実施例によるタッチパネルにおいて、前記カラーベゼル部は、ウィンドウ基板の一面方向に順に配置される第１ＵＶ吸収層、第１色光層、第２色光層、光フィルター層、第３色光層、第２ＵＶ吸収層、及びオーバーコーティング層を含む積層構造であることを特徴とする。
【００１３】
本発明の一実施例によるタッチパネルにおいて、前記第１ＵＶ吸収層と前記第２ＵＶ吸収層は、ＵＶ遮断用無機物やＵＶ遮断用有機物で形成されることを特徴とする。
【００１４】
本発明の一実施例によるタッチパネルにおいて、前記光フィルター層は、青色光を遮断するためのフィルター層であることを特徴とする。
【００１５】
本発明の一実施例によるタッチパネルにおいて、前記第１色光層、第２色光層、及び第３色光層は、各々、銀塩及びバインダーを含む銀塩乳剤層にマゼンタ（ｍａｇｅｎｔａ）、黄色（ｙｅｌｌｏｗ）、及びシアン（ｃｙａｎ）のうちいずれか一つの色を有する染料（ｄｙｅ）を含有する形態で具備されることを特徴とする。
【００１６】
本発明の一実施例によるタッチパネルにおいて、前記銀塩は、ハロゲン化銀を含む無機銀塩または酢酸銀を含む有機銀塩であることを特徴とする。
【００１７】
本発明の一実施例によるタッチパネルにおいて、前記バインダーは、ゼラチン、ポリビニルアルコール（ＰＶＡ）、ポリビニルピロリドン（ＰＶＰ）、澱粉を含む多糖類、セルロース及びその誘導体、ポリエチレンオキサイド、ポリビニルアミン、キトサン、ポリリシン、ポリアクリル酸、ポリアルギン酸、ポリヒアルロン酸、カルボキシセルロースのうちいずれか一つまたは組合せを含むことを特徴とする。
【００１８】
本発明の一実施例によるタッチパネルにおいて、前記第１色光層、第２色光層、及び第３色光層は、各々、銀塩及びバインダーを含む銀塩乳剤層に赤色染料、緑色染料、及び青色染料のうちいずれか一つの染料を含有する形態で具備されることを特徴とする。
【００１９】
本発明の一実施例によるタッチパネルにおいて、前記ウィンドウ基板は、ウィンドウガラス（ｗｉｎｄｏｗ  ｇｌａｓｓ）を含むことを特徴とする。
【００２０】
本発明の一実施例によるタッチパネルにおいて、前記ウィンドウ基板は、ウィンドウガラスの外部面にハードコーティング層、防指紋（ａｎｔｉ−ｆｉｎｇｅｒ）層、防眩（ａｎｔｉ−ｇｌａｒｅ）層のうちいずれか一つまたは組合せで形成された積層構造であることを特徴とする。
【発明の効果】
【００２１】
本発明の実施例によるタッチパネルは、ベゼル部領域に多層構造のカラーベゼル部を介して、減法混色（ｓｕｂｔｒａｃｔｉｖｅ  ｍｉｘｔｕｒｅ）または加法混色（ａｄｄｉｔｉｖｅ  ｃｏｌｏｒ  ｍｉｘｔｕｒｅ）により色相を混合し、多様な色相のパターンとイメージをベゼル部に具現することができる。
【図面の簡単な説明】
【００２２】
【図１】本発明の第１実施例によるタッチパネルの断面図である。
【図２】本発明の第２実施例によるタッチパネルの断面図である。
【図３】本発明の第１実施例によるタッチパネルのカラーベゼル部の色相具現を説明するための断面例示図（写真）である。
【図４】本発明の第２実施例によるタッチパネルのカラーベゼル部の色相具現を説明するための断面例示図（写真）である。
【発明を実施するための形態】
【００２３】
本発明の目的、特定の長所及び新規の特徴は、添付図面に係る以下の詳細な説明及び好ましい実施例によってさらに明らかになるであろう。本明細書において、各図面の構成要素に参照番号を付け加えるに際し、同一の構成要素に限っては、たとえ異なる図面に示されても、できるだけ同一の番号を付けるようにしていることに留意しなければならない。また、「一面」、「他面」、「第１」、「第２」などの用語は、一つの構成要素を他の構成要素から区別するために用いられるものであり、構成要素が前記用語によって限定されるものではない。以下、本発明を説明するにあたり、本発明の要旨を不明瞭にする可能性がある係る公知技術についての詳細な説明は省略する。
【００２４】
以下、添付図面を参照して、本発明の好ましい実施例を詳細に説明する。
【００２５】
図１は、本発明の第１実施例によるタッチパネルの断面図であり、図３は、本発明の第１実施例によるタッチパネルのカラーベゼル部の色相具現を説明するための断面例示図である。
【００２６】
ここで、本発明の第１実施例によるタッチパネル１００がＬＣＤ（Ｌｉｑｕｉｄ  Ｃｒｙｓｔａｌ  Ｄｉｓｐｌａｙ）パネルのようなディスプレイパネル２００に付着され、ウィンドウ基板１１０に一体型で具現されたカラーベゼル部１２０を含む場合に対して図示及び説明するが、前記タッチパネル１００は、これに限定されるものではなく、多様な形態で具現されることができる。
【００２７】
本発明の第１実施例によるタッチパネル１００は、ウィンドウ基板１１０、ウィンドウ基板１１０のベゼル部領域に具備されたカラーベゼル部１２０、カラーベゼル部１２０の形成面方向に第１電極パターン１３１と第１電極パターン１３１に連結されたベゼル部領域の電極配線を一面に具備した第１透明基板１３０、及び第２電極パターン１４１と第２電極パターン１４１に連結されたベゼル部領域の電極配線を一面に具備した第２透明基板１４０を含む。
【００２８】
ウィンドウ基板１１０は、例えば、ウィンドウガラス（ｗｉｎｄｏｗ  ｇｌａｓｓ）などのような透明材質で形成された基板であり、タッチパネル１００の最外側に具備され、ユーザのタッチを受容する。ここで、ウィンドウ基板１１０は、外部面にハードコーティング層、防指紋（ａｎｔｉ−ｆｉｎｇｅｒ）層、防眩（ａｎｔｉ−ｇｌａｒｅ）層のうちいずれか一つまたは二つの以上の組合せで形成された積層構造を具備することができる。
【００２９】
カラーベゼル部１２０は、ウィンドウ基板１１０のベゼル部領域に具備されて多様なカラーを発色する多層構造であり、ウィンドウ基板の一面方向に順に配置される第１ＵＶ吸収層１２１、第１色光層１２２、第２色光層１２３、光フィルター層１２４、第３色光層１２５、第２ＵＶ吸収層１２６、及びオーバーコーティング層１２７を含む。
【００３０】
具体的に、第１ＵＶ吸収層１２１と第２ＵＶ吸収層１２６は、ＵＶにより第１色光層１２２、第２色光層１２３、第３色光層１２５の色相が変色されることを防止するために、ＵＶ遮断用無機物やＵＶ遮断用有機物で形成することができる。ここで、ＵＶ遮断用無機物は、インジウム−スズ酸化物（Ｉｎｄｉｕｍ  Ｔｉｎ  Ｏｘｉｄｅ）、二酸化チタン（Ｔｉｔａｎｉｕｍ  Ｄｉｏｘｉｄｅ）などの金属酸化物であってもよく、ＵＶ遮断用有機物は、ベンゾフェノン（Ｂｅｎｚｏｐｈｅｎｏｎｅ）、ベンゾトリアゾール（Ｂｅｎｚｏｔｒｉａｚｏｌｅ）、サリチル酸（Ｓａｌｉｃｙｌｉｃ  Ａｃｉｄ）、アクリロニトリル（Ａｃｒｙｌｏｎｉｔｒｉｌｅ）、有機ニッケル化合物などであってもよい。ただし、前述した物質は例示に過ぎず、本発明の権利範囲がこれに制限されるものではない。
【００３１】
第１色光層１２２、第２色光層１２３、第３色光層１２５は、光の３原色原理によってそれぞれの光を発現し、これを減法混色（ｓｕｂｔｒａｃｔｉｖｅ  ｍｉｘｔｕｒｅ）または加法混色（ａｄｄｉｔｉｖｅ  ｃｏｌｏｒ  ｍｉｘｔｕｒｅ）により光を混合して多様な色相を具現することができる。
【００３２】
例えば、減法混色により多様な色相を具現する場合、第１色光層１２２、第２色光層１２３、及び第３色光層１２５は、銀塩及びバインダーを含む銀塩乳剤層にマゼンタ（ｍａｇｅｎｔａ）、黄色（ｙｅｌｌｏｗ）、及びシアン（ｃｙａｎ）のうちいずれか一つの色を有する染料（ｄｙｅ）を含む形態で具備することができる。
【００３３】
ここで、銀塩は、ハロゲン化銀（ＡｇＣｌ、ＡｇＢｒ、ＡｇＦ、ＡｇＩ）などの無機銀塩または酢酸銀などの有機銀塩であってもよく、バインダーは、銀塩を均一に分散させて接着力を強化させるものであり、ゼラチン、ポリビニルアルコール（ＰＶＡ）、ポリビニルピロリドン（ＰＶＰ）、澱粉を含む多糖類、セルロース及びその誘導体、ポリエチレンオキサイド、ポリビニルアミン、キトサン、ポリリシン、ポリアクリル酸、ポリアルギン酸、ポリヒアルロン酸、カルボキシセルロースなどであってもよい。このようなバインダーは、官能基のイオン性によって、中性、陰イオン性、陽イオン性の性質を有する。
【００３４】
このような第１色光層１２２、第２色光層１２３、及び第３色光層１２５は、各々、マゼンタ（ｍａｇｅｎｔａ）、黄色（ｙｅｌｌｏｗ）、及びシアン（ｃｙａｎ）のうちいずれか一つの色を有する染料を含み、図３に示したように、多様な色相をウィンドウ基板１１０を介して外部に発現することができる。
【００３５】
例えば、図３に示したように、第１色光層１２２がシアン色相の染料を含み、第２色光層１２３がマゼンタ色相の染料を含み、第３色光層１２５が黄色色相の染料を含む形態に対し、各染料の存在有無によって発現色相が決定される。
【００３６】
即ち、全ての染料が存在する（Ｉ）領域は黒色を発現し、全ての染料が存在しない（ＩＩ）領域は白色を発現し、シアン色相の染料とマゼンタ色相の染料により（ＩＩＩ）領域は青色を発現し、シアン色相の染料と黄色色相の染料により（ＩＶ）領域は緑色を発現し、マゼンタ色相の染料と黄色色相の染料により（Ｖ）領域は赤色を発現し、黄色色相の染料のみ存在する（ＶＩ）領域は黄色を発現する。
【００３７】
これにより、カラーベゼル部１２０は、多様な色相を領域別に外部に発現することができ、多様な色相からなるパターンまたはイメージをユーザに表示することができる。
【００３８】
ここで、カラーベゼル部１２０が減法混色により多様な色相を具現するために、第１色光層１２２、第２色光層１２３、及び第３色光層１２５が各々マゼンタ（ｍａｇｅｎｔａ）、黄色（ｙｅｌｌｏｗ）、及びシアン（ｃｙａｎ）のうちいずれか一つの色を有する染料（ｄｙｅ）を含む銀塩乳剤層として説明するが、これに限定されるものではなく、加法混色（ａｄｄｉｔｉｖｅ  ｃｏｌｏｒ  ｍｉｘｔｕｒｅ）により多様な色相を具現するために、第１色光層１２２、第２色光層１２３、及び第３色光層１２５が各々赤色染料、緑色染料、及び青色染料のうちいずれか一つの染料を含む銀塩乳剤層として具備することができる。
【００３９】
また、光フィルター層１２４は、選択的に青色光を遮断するため、第２色光層１２３と第３色光層１２５との間に具備することができる。
【００４０】
第１透明基板１３０と第２透明基板１４０は、各々、電極パターン１３１、１４１とベゼル部領域の電極配線などが形成される領域を提供する役割を遂行する。ここで、第１透明基板１３０と第２透明基板１４０は、各々、電極パターン１３１、１４１と電極配線などを支持することができる支持力と画像表示装置で提供する画像をユーザが認識することができるようにする透明性を備えなければならない。
【００４１】
前述した支持力と透明性を考慮する時、第１透明基板１３０と第２透明基板１４０は、ポリエチレンテレフタレート（ＰＥＴ）、ポリカーボネート（ＰＣ）、ポリメチルメタクリレート（ＰＭＭＡ）、ポリエチレンナフタレート（ＰＥＮ）、ポリエーテルスルホン（ＰＥＳ）、環状オレフィン高分子（ＣＯＣ）、トリアセチルセルロース（Ｔｒｉａｃｅｔｙｌｃｅｌｌｕｌｏｓｅ；ＴＡＣ）フィルム、ポリビニルアルコール（Ｐｏｌｙｖｉｎｙｌ  ａｌｃｏｈｏｌ；ＰＶＡ）フィルム、ポリイミド（Ｐｏｌｙｉｍｉｄｅ；ＰＩ）フィルム、ポリスチレン（Ｐｏｌｙｓｔｙｒｅｎｅ；ＰＳ）、二軸延伸ポリスチレン（Ｋレジン含有ｂｉａｘｉａｌｌｙ  ｏｒｉｅｎｔｅｄ  ＰＳ；ＢＯＰＳ）、ガラスまたは強化ガラスなどで形成することが好ましいが、必ずしもこれに限定されるものではない。
【００４２】
第１電極パターン１３１と第２電極パターン１４１は、ユーザがタッチする時、信号を発生させてコントローラでタッチ座標を認識することができるようにする役割を遂行する。ここで、第１電極パターン１３１と第２電極パターン１４１は、銅（Ｃｕ）、アルミニウム（Ａｌ）、金（Ａｕ）、銀（Ａｇ）、チタニウム（Ｔｉ）、パラジウム（Ｐｄ）、クロム（Ｃｒ）またはこれらの組合せを利用してメッシュパターン（Ｍｅｓｈ  Ｐａｔｔｅｒｎ）で形成することができる。
【００４３】
具体的に、第１電極パターン１３１と第２電極パターン１４１は、電気伝導度が高い銅（Ｃｕ）、アルミニウム（Ａｌ）、金（Ａｕ）、銀（Ａｇ）を利用して形成することが好ましいが、電気伝導度を有する全ての金属を利用することができる。
【００４４】
また、第１電極パターン１３１と第２電極パターン１４１を銅（Ｃｕ）で形成する場合、電極パターン１３１、１４１の表面は、黒化処理することが好ましい。ここで、黒化処理とは、電極パターン１３１、１４１の表面を酸化させてＣｕ２ＯまたはＣｕＯを析出させることであり、Ｃｕ２Ｏは、褐色を帯びるため、ブラウンオキサイド（Ｂｌｏｗｎ  Ｏｘｉｄｅ）といい、ＣｕＯは、黒色を帯びるため、ブラックオキサイド（Ｂｌａｃｋ  Ｏｘｉｄｅ）という。
【００４５】
このように電極パターン１３１、１４１の表面を黒化処理することによって、光が反射することを防止することができ、それにより、タッチパネル１００の視認性を向上させることができる長所がある。
【００４６】
また、前述した金属外にも第１電極パターン１３１と第２電極パターン１４１は、銀塩乳剤層を露光及び現像して形成された銀、ＩＴＯ（Ｉｎｄｉｕｍ  Ｔｉｎ  Ｏｘｉｄｅ）、ＰＥＤＯＴ／ＰＳＳ、ＣＮＴ（Ｃａｒｂｏｎ  Ｎａｎｏｔｕｂｅ）、グラフェン（Ｇｒａｐｈｅｎｅ）、ＺｎＯ（Ｚｉｎｃ  Ｏｘｉｄｅ）またはＡＺＯ（Ａｌ−ｄｏｐｅｄ  Ｚｉｎｃ  Ｏｘｉｄｅ）などを利用して形成することができる。
【００４７】
また、第１電極パターン１３１と第２電極パターン１４１は、棒形パターン、菱形パターン、四角形パターン、三角形パターン、円形パターンなど、当業界に公知された全てのパターンで形成することができる。
【００４８】
このように構成された本発明の第１実施例によるタッチパネル１００は、ウィンドウ基板１１０のベゼル部領域に多層構造のカラーベゼル部１２０を具備し、減法混色（ｓｕｂｔｒａｃｔｉｖｅ  ｍｉｘｔｕｒｅ）または加法混色（ａｄｄｉｔｉｖｅ  ｃｏｌｏｒ  ｍｉｘｔｕｒｅ）により色相を混合して多様な色相を発現するため、多様な色相のパターンとイメージをベゼル部に具現することができる。
【００４９】
以下、本発明の第２実施例によるタッチパネル３００に対し、図２と図４を参照して説明する。
【００５０】
図２は、本発明の第２実施例によるタッチパネルの断面図であり、図４は、本発明の第２実施例によるタッチパネルのカラーベゼル部の色相具現を説明するための断面例示図である。
【００５１】
本発明の第２実施例によるタッチパネル３００は、ウィンドウ基板３１０、一面に第１電極パターン３３１と第１電極パターン３３１に連結されたベゼル部領域の電極配線を一面に具備した第１透明基板３３０、ウィンドウ基板３１０と第１透明基板３３０との間のベゼル部領域に具備されたカラーベゼル部３２０、及び第１透明基板３３０に対応して第２電極パターン３４１と第２電極パターン３４１に連結されたベゼル部領域の電極配線を一面に具備した第２透明基板３４０を含む。
【００５２】
ウィンドウ基板３１０は、例えば、ウィンドウガラス（ｗｉｎｄｏｗ  ｇｌａｓｓ）などのような透明材質で形成された基板であり、タッチパネル３００の最外側に具備され、ユーザのタッチを受容する。ここで、ウィンドウ基板３１０は、外部面にハードコーティング層、防指紋（ａｎｔｉ−ｆｉｎｇｅｒ）層、防眩（ａｎｔｉ−ｇｌａｒｅ）層のうちいずれか一つまたは二つの以上の組合せで形成された積層構造を具備することができる。
【００５３】
カラーベゼル部３２０は、ウィンドウ基板３１０と第１透明基板３３０との間のベゼル部領域に具備されて多様なカラーを発現する多層構造であり、第１透明基板３３０から順に配置された第１ＵＶ吸収層３２１、第１色光層３２２、第２色光層３２３、光フィルター層３２４、第３色光層３２５、第２ＵＶ吸収層３２６、及びオーバーコーティング層３２７を含む。
【００５４】
具体的に、第１ＵＶ吸収層３２１と第２ＵＶ吸収層３２６は、ＵＶにより第１色光層３２２、第２色光層３２３、第３色光層３２５の色相が変色されることを防止するために、ＵＶ遮断用無機物やＵＶ遮断用有機物で形成することができる。ここで、ＵＶ遮断用無機物は、インジウム−スズ酸化物（Ｉｎｄｉｕｍ  Ｔｉｎ  Ｏｘｉｄｅ）、二酸化チタン（Ｔｉｔａｎｉｕｍ  Ｄｉｏｘｉｄｅ）などの金属酸化物であってもよく、ＵＶ遮断用有機物は、ベンゾフェノン（Ｂｅｎｚｏｐｈｅｎｏｎｅ）、ベンゾトリアゾール（Ｂｅｎｚｏｔｒｉａｚｏｌｅ）、サリチル酸（Ｓａｌｉｃｙｌｉｃ  Ａｃｉｄ）、アクリロニトリル（Ａｃｒｙｌｏｎｉｔｒｉｌｅ）、有機ニッケル化合物などであってもよい。ただし、前述した物質は例示に過ぎず、本発明の権利範囲がこれに制限されるものではない。
【００５５】
第１色光層３２２、第２色光層３２３、第３色光層３２５は、光の３原色原理によってそれぞれの光を発現し、これを減法混色（ｓｕｂｔｒａｃｔｉｖｅ  ｍｉｘｔｕｒｅ）または加法混色（ａｄｄｉｔｉｖｅ  ｃｏｌｏｒ  ｍｉｘｔｕｒｅ）により光を混合して多様な色相を具現することができる。
【００５６】
例えば、減法混色により多様な色相を具現する場合、第１色光層３２２、第２色光層３２３、及び第３色光層３２５は、銀塩及びバインダーを含む銀塩乳剤層にマゼンタ（ｍａｇｅｎｔａ）、黄色（ｙｅｌｌｏｗ）、及びシアン（ｃｙａｎ）のうちいずれか一つの色を有する染料（ｄｙｅ）を含む形態で具備することができる。
【００５７】
ここで、銀塩は、ハロゲン化銀（ＡｇＣｌ、ＡｇＢｒ、ＡｇＦ、ＡｇＩ）などの無機銀塩または酢酸銀などの有機銀塩であってもよく、バインダーは、銀塩を均一に分散させて接着力を強化させるものであり、ゼラチン、ポリビニルアルコール（ＰＶＡ）、ポリビニルピロリドン（ＰＶＰ）、澱粉を含む多糖類、セルロース及びその誘導体、ポリエチレンオキサイド、ポリビニルアミン、キトサン、ポリリシン、ポリアクリル酸、ポリアルギン酸、ポリヒアルロン酸、カルボキシセルロースなどであってもよい。このようなバインダーは、官能基のイオン性によって中性、陰イオン性、陽イオン性の性質を有する。
【００５８】
このような第１色光層３２２、第２色光層３２３、及び第３色光層３２５は、各々、マゼンタ（ｍａｇｅｎｔａ）、黄色（ｙｅｌｌｏｗ）、及びシアン（ｃｙａｎ）のうちいずれか一つの色を有する染料を含み、図４に示したように、多様な色相をウィンドウ基板３１０を介して外部に発現することができる。
【００５９】
例えば、図４に示したように、第１色光層３２２がシアン色相の染料を含み、第２色光層３２３がマゼンタ色相の染料を含み、第３色光層３２５が黄色色相の染料を含む形態に対し、各染料の存在有無によって発現色相が決定される。
【００６０】
即ち、全ての染料が存在する（ａ）領域は黒色を発現し、全ての染料が存在しない（ｂ）領域は白色を発現し、シアン色相の染料とマゼンタ色相の染料により（ｃ）領域は青色を発現し、シアン色相の染料と黄色色相の染料により（ｄ）領域は緑色を発現し、マゼンタ色相の染料と黄色色相の染料により（ｅ）領域は赤色を発現し、黄色色相の染料のみ存在する（ｆ）領域は黄色色を発現する。
【００６１】
これにより、カラーベゼル部３２０は、多様な色相を領域別に外部に発現することができ、このような多様な色相からなるパターンまたはイメージをユーザに表示することができる。
【００６２】
ここで、カラーベゼル部３２０が減法混色により多様な色相を具現するために、第１色光層３２２、第２色光層３２３、及び第３色光層３２５が各々マゼンタ（ｍａｇｅｎｔａ）、黄色（ｙｅｌｌｏｗ）、及びシアン（ｃｙａｎ）のうちいずれか一つの色を有する染料（ｄｙｅ）を含む銀塩乳剤層として説明するが、これに限定されるものではなく、加法混色（ａｄｄｉｔｉｖｅ  ｃｏｌｏｒ  ｍｉｘｔｕｒｅ）により多様な色相を具現するために、第１色光層３２２、第２色光層３２３、及び第３色光層３２５が各々赤色染料、緑色染料、及び青色染料のうちいずれか一つの染料を含む銀塩乳剤層として具備することができる。
【００６３】
また、光フィルター層３２４は、選択的に青色光を遮断するために、第２色光層３２３と第３色光層３２５との間に具備することができる。
【００６４】
第１透明基板３３０と第２透明基板３４０は、各々、電極パターン３３１、３４１とベゼル部領域の電極配線などが形成される領域を提供する役割を遂行する。ここで、第１透明基板３３０と第２透明基板３４０は、各々、電極パターン３３１、３４１と電極配線などを支持することができる支持力と画像表示装置で提供する画像をユーザが認識することができるようにする透明性を備えなければならない。
【００６５】
前述した支持力と透明性を考慮する時、第１透明基板３３０と第２透明基板３４０は、ポリエチレンテレフタレート（ＰＥＴ）、ポリカーボネート（ＰＣ）、ポリメチルメタクリレート（ＰＭＭＡ）、ポリエチレンナフタレート（ＰＥＮ）、ポリエーテルスルホン（ＰＥＳ）、環状オレフィン高分子（ＣＯＣ）、トリアセチルセルロース（Ｔｒｉａｃｅｔｙｌｃｅｌｌｕｌｏｓｅ；ＴＡＣ）フィルム、ポリビニルアルコール（Ｐｏｌｙｖｉｎｙｌ  ａｌｃｏｈｏｌ；ＰＶＡ）フィルム、ポリイミド（Ｐｏｌｙｉｍｉｄｅ；ＰＩ）フィルム、ポリスチレン（Ｐｏｌｙｓｔｙｒｅｎｅ；ＰＳ）、二軸延伸ポリスチレン（Ｋレジン含有ｂｉａｘｉａｌｌｙ  ｏｒｉｅｎｔｅｄ  ＰＳ；ＢＯＰＳ）、ガラスまたは強化ガラスなどで形成することが好ましいが、必ずこれに限定されるものではない。
【００６６】
第１電極パターン３３１と第２電極パターン３４１は、ユーザがタッチする時、信号を発生させてコントローラでタッチ座標を認識することができるようにする役割を遂行する。ここで、第１電極パターン３３１と第２電極パターン３４１は、銅（Ｃｕ）、アルミニウム（Ａｌ）、金（Ａｕ）、銀（Ａｇ）、チタニウム（Ｔｉ）、パラジウム（Ｐｄ）、クロム（Ｃｒ）またはこれらの組合せを利用してメッシュパターン（Ｍｅｓｈ  Ｐａｔｔｅｒｎ）で形成することができる。
【００６７】
このように構成された本発明の第２実施例によるタッチパネル３００は、ウィンドウ基板３１０と第１透明基板３３０との間のベゼル部領域にカラーベゼル部３２０を具備するが、これに限定されるものではなく、第１透明基板３３０と第２透明基板３４０との間のベゼル部領域にカラーベゼル部３２０を具備してもよい。
【００６８】
従って、本発明の第２実施例によるタッチパネル３００は、カラーベゼル部３２０を介して、減法混色（ｓｕｂｔｒａｃｔｉｖｅ  ｍｉｘｔｕｒｅ）または加法混色（ａｄｄｉｔｉｖｅ  ｃｏｌｏｒ  ｍｉｘｔｕｒｅ）により色相を混合して多様な色相を発現するため、多様な色相のパターンとイメージをベゼル部に具現することができる。
【００６９】
以上、本発明を具体的な実施例に基づいて詳細に説明したが、これは本発明を具体的に説明するためのものであり、本発明はこれに限定されず、該当分野における通常の知識を有する者であれば、本発明の技術的思想内にての変形や改良が可能であることは明白であろう。
【００７０】
本発明の単純な変形乃至変更はいずれも本発明の領域に属するものであり、本発明の具体的な保護範囲は添付の特許請求の範囲により明確になるであろう。
【産業上の利用可能性】
【００７１】
本発明は、タッチパネルに適用可能である。
【符号の説明】
【００７２】
１００、３００  タッチパネル
１１０、３１０  ウィンドウ基板
１２０、３２０  カラーベゼル部
１２１、３２１  第１ＵＶ吸収層
１２２、３２２  第１色光層
１２３、３２３  第２色光層
１２４、３２４  光フィルター層
１２５、３２５  第３色光層
１２６、３２６  第２ＵＶ吸収層
１２７、３２７  オーバーコーティング層
１３０、３３０  第１透明基板（透明基板）
１３１、３３１  第１電極パターン（電極パターン）
１４０、３４０  第２透明基板
１４１、３４１  第２電極パターン
２００、４００  ディスプレイパネル
【図１】
2014130564.tif 000003
【図２】
2014130564.tif 000004
【図３】
2014130564.tif 000005
【図４】
2014130564.tif 000006